(57)【要約】【課題】前後方向に大きくなることなしに生態的機能、護岸重量及び強度を確保できるようにする。【解決手段】前面板２と後面板３との間に、上下方向に貫通するコンクリート充填用穴６と、底部に水抜き用穴９を有するポット状にした客土充填用穴７とを横方向に並べて設けた構成になっている。【選択図】図１０
2006214137.tif 000002
【特許請求の範囲】
【請求項１】
前面板と後面板との間に、上下方向に貫通するコンクリート充填用穴と、底部に水抜き用穴を有するポット状にした客土充填用穴とを横方向に並べて設けたことを特徴とする護岸ブロック。
【請求項２】
後面板の上部に、客土用穴に通じる切り欠きを設け、前面板の下部に、前面板上面での前面板より客土充填用穴までの距離より前後方向に大きい切り欠きを設けたことを特徴とする請求項１記載の護岸ブロック。
【発明の詳細な説明】
【技術分野】
【０００１】
本発明は、環境保全型の護岸を構築するための護岸ブロックに関するものである。
【背景技術】
【０００２】
環境保全型用の護岸ブロックは、これを積み上げてなる護岸に植生及び生物の生息を促すために、ブロック内に客土を抱え込む空間が設けられている。そしてこのブロックは護岸重量及び強度を確保するための所定の重量及び大きさとなっている。
【発明の開示】
【発明が解決しようとする課題】
【０００３】
護岸ブロックの護岸重量及び強度を確保した上で生態的機能を向上させる場合、客土量を多くするとブロックの前後方向の寸法が大きくなってしまい、反対に客土量を少なくするとブロックは薄型化されるが、生態的機能が低下してしまう。
【０００４】
これらのことから、この種の護岸ブロックにおいて、生態的機能、護岸重量及び強度をを確保した上で経済的な断面とすることが求められている。
【０００５】
本発明は上記のことに鑑みなされたもので、前後方向に大きくなることなく、生態的機能、護岸重量及び強度を確保できるようにした護岸ブロックを提供することを目的とするものである。
【課題を解決するための手段】
【０００６】
上記目的を達成するために本発明は、前面板と後面板との間に、上下方向に貫通するコンクリート充填用穴と、底部に水抜き用穴を有するポット状にした客土充填用穴とを横方向に並べて設けた構成になっている。
【０００７】
そして上記構成の護岸ブロックにおいて、後面板の上部に、客土用穴に通じる切り欠きを設け、前面板の下部に、前面板上面での前面板より客土充填用穴までの距離より前後方向に大きい切り欠きを設けた構成になっている。
【発明の効果】
【０００８】
本発明によれば、コンクリート充填用穴と客土充填用穴とを前面板と後面板の間で横方向に並べて設けたことにより、客土充填用穴を横方向に大きくすることができ、この客土充填用穴を横方向に大きくすることにより、前後方向（厚さ方向）に大きくなることなく客土による護岸重量を大きくすることができる。
【０００９】
また上記したように、護岸重量の大きい護岸ブロックを前後方向に小さく構成できることにより、前面板と後面板とを継ぐ壁の長さを短くできて全体として十分な強度を確保できる。
【００１０】
さらに、客土充填用穴の客土に生育した植物は、前面板の下部に設けられた切り欠きより前面板の前側へ繁茂して、生態的機能を向上することができる。
【発明を実施するための最良の形態】
【００１１】
図１から図９に示すように、護岸ブロック（以下これをブロックと略称する）１は、横長の矩形状に形成され、前後方向に所定の間隔を有する前面板２と後面板３を有しており、この両面板２，３は平行になっている上面４と下面５に対して後傾されている。
【００１２】
前面板２と後面板３の間には、左右方向中央部に１個のコンクリート充填用穴６が、またこれの左右方向両側に客土充填用穴７，７が、さらに左右両端部にコンクリート充填用切り欠き８，８が設けてあり、これらの相互間の部分が上記前面板２と後面板３とを継ぐ壁となっている。この壁及び上記前面板２と後面板３は一体構成になっている。
【００１３】
上記コンクリート充填用穴６は、下面５に近い位置において最小の断面積となるスロート部を有し、これの上下で錐形になっている。また客土充填用穴７，７は、下面に近い位置に底部を有する錐形のポット状になっており、この底部に水抜き穴９が下面５に開放して設けてある。さらに左右のコンクリート充填用切り欠き８，８は、上下方向にストレートの切り欠き空間となっている。
【００１４】
上面４の前後方向中間部には、突起１０が左右方向に複数個、例えば上記前後の板を継ぐ壁の上面に設けてある。また下面５には、この各突起１０に対向する位置に、上記突起１０が係合する凹部１１が設けてある。
【００１５】
前面板２の下部で客土充填用穴７，７に対応する位置に、下面５に通じる切り欠き１２，１２が設けてあり、この切り欠き１２の前後方向の大きさは、上面４での前面板２の前面より客土充填用穴７までの距離より前後方向に大きくなっていて、この切り欠き１２の奥部は下側に積まれるブロックの客土充填用穴７の一部に臨むようになっている。
【００１６】
また、後面板３の上部で客土充填用穴７，７に対応する位置に、客土充填用穴７の上部を後側へ開放する切り欠き１３，１３が設けてある。
【００１７】
上記ブロック１は、横方向中央部に対して左右対称形状になっていて、このブロック１を千鳥状に積み上げることができるようになっている。
【００１８】
図１０はその積み上げ構造の一部を示すもので、横方向に隣接する２個の一方のブロック１の右側半分と他方のブロック１の左側半分にまたがって上下のブロック１，１が、それぞれの突起１０と凹部１１とが係合して積み上げられる。このとき、各ブロック１のコンクリート充填用穴６は上下方向の１つおきに、コンクリート充填用切り欠き８を介して上下方向に連通する。また、客土充填用穴７は左右方向に同一位置となり、従って下方向に列状に配置されることになる。
【００１９】
上記構成において、ブロック１は図１１、図１２に示すように、基盤１４上に千鳥状に積み上げて法面の護岸を構成する。このとき１段ごとに、各ブロック１のコンクリート充填用穴６と、横方向に隣接するブロック相互のコンクリート充填用切り欠き８，８にて構成される空間内にコンクリート（モルタル）を充填すると共に、各客土充填用穴７に客土１５を充填する（図１２）。
【００２０】
このように積み上げられた各ブロック１は、突起１０と凹部１１との係合により、前後方向及び左右方向に係合される。また、各ブロック１のコンクリート充填用穴６に充填するコンクリートは、上下の各ブロック１，１のコンクリート充填用切り欠き８，８に充填したコンクリートと連結され、このコンクリートによる柱が上下方向に構成される。
【００２１】
各ブロック１の客土充填用穴７に充填した客土は、各客土充填用穴７内に留まるが、この客土中の過剰の水分は水抜き穴９より下側へ抜ける。また、この客土中に大量の水が流入したときには、ブロック１の前面板２の下部に設けた切り欠き１２より前面側へ、及び後面板３の上部に設けた切り欠き１３より後面側へそれぞれ流出される。
【００２２】
また、上記構成においてコンクリート充填用穴６に対して客土充填用穴７の大きさ（容積）が大きくなっていて、この客土充填用穴７内に客土１５を充填することにより、各ブロック１の重量は大きくなって護岸重量が確保される。また、この客土１５に着生した植物は前側の切り欠き１２より繁茂すると共に、客土中に生物が生息でき、生態的機能を保持できる。
【００２３】
なお、各ブロック１の重量を大きくするためには客土充填用穴７を大きくする必要があるが、この場合、横方向に大きくすることにより、ブロック１を前後方向に大きくすることなく客土による重量増加を図ることができる。そしてこのように前後方向の大きさが小さくできることにより、前後面２，３を継ぐ壁が短くなることにより大きな強度を保持することができる。
【００２４】
上記した実施の形態では、各ブロック１を千鳥状に積み上げるようにしたが、これはイモ積みしてもよいことはもちろんである。このイモ積みする場合は、各ブロック１は必ずしも横方向中央部に対して左右を対称にする必要はない。
【図面の簡単な説明】
【００２５】
【図１】本発明に係る護岸ブロックの平面図である。
【図２】本発明に係る護岸ブロックの正面図である。
【図３】本発明に係る護岸ブロックの底面図である。
【図４】本発明に係る護岸ブロックの背面図である。
【図５】本発明に係る護岸ブロックの側面図である。
【図６】図２のＡ−Ａ断面図である。
【図７】図２のＢ−Ｂ断面図である。
【図８】本発明に係る護岸ブロックの斜め前方からの斜視図である。
【図９】本発明に係る護岸ブロックの斜め後方からの斜視図である。
【図１０】本発明に係る護岸ブロックの積み上げ状態の一部を示す断面図である。
【図１１】本発明に係る護岸ブロックを用いた護岸を示す斜視図である。
【図１２】図１１で示す護岸の断面図である。
【符号の説明】
【００２６】
１…護岸ブロック、２…前面板、３…後面板、４…上面、５…下面、６コンクリート充填用穴、７…客土充填用穴、８…コンクリート充填用切り欠き、９…水抜き穴、１０…突起、１１…凹部、１２，１３…切り欠き、１４…基盤、１５…客土。
【図１】
2006214137.tif 000003
【図２】
2006214137.tif 000004
【図３】
2006214137.tif 000005
【図４】
2006214137.tif 000006
【図５】
2006214137.tif 000007
【図６】
2006214137.tif 000008
【図７】
2006214137.tif 000009
【図８】
2006214137.tif 000010
【図９】
2006214137.tif 000011
【図１０】
2006214137.tif 000012
【図１１】
2006214137.tif 000013
【図１２】
2006214137.tif 000014